(57)【要約】【課題】水平打継面を介するコンクリートの打継において、ブリージング水やレイタンスを効率的に除去することができる、打継面の処理方法を提供する。【解決手段】鉛直方向に打継されるコンクリート構造物の打継面の処理方法であって、打設したコンクリート３の打継面を、コンクリート由来の粒子を吸着する吸水性シート１Ａで覆う覆い工程と、吸水性シート１Ａを打継面から剥がす剥がし工程と、を含み、覆い工程において、打継面は吸水性シート１Ａの吸水面に接触しており、覆い工程は、コンクリート３からブリージング水が生じる時期に行う。【選択図】図１
2018044297.tif 000002
【特許請求の範囲】
【請求項１】
鉛直方向に打継されるコンクリート構造物の打継面の処理方法であって、
打設したコンクリートの打継面を、前記コンクリート由来の粒子を吸着する吸水性シートで覆う覆い工程と、
前記吸水性シートを前記打継面から剥がす剥がし工程と、を含み、
前記覆い工程において、前記打継面は前記吸水性シートの吸水面に接触しており、
前記覆い工程は、前記コンクリートからブリージング水が生じる時期に行う、打継面の処理方法。
【請求項２】
前記覆い工程は、前記打継面及び前記吸水性シートが凹凸形状となるように行う、請求項１記載の打継面の処理方法。
【請求項３】
前記吸水性シートは、前記凹凸形状をなす型板と、前記型板の片面に設けられ前記吸水面を有するシート本体と、を備える、請求項２記載の打継面の処理方法。
【請求項４】
前記型板は、前記覆い工程において前記凹凸形状の底部となる部分以外の部分に貫通孔を有する、請求項３記載の打継面の処理方法。
【請求項５】
前記剥がし工程は、前記コンクリートの養生を開始する前に行う、請求項１〜４のいずれか一項記載の打継面の処理方法。
【請求項６】
鉛直方向に打継されるコンクリート構造物の打継面の処理方法であって、
打設したコンクリートの打継面を不透水性シートで覆う覆い工程と、
前記不透水性シートを前記打継面から剥がす剥がし工程と、を含み、
前記覆い工程は、前記打継面が不透水性シートに接触するように、且つ、前記打継面及び前記不透水性シートが凹凸形状となるように行い、
前記覆い工程は、前記コンクリートからブリージング水が生じる時期に行い、
前記不透水性シートは、前記覆い工程において前記凹凸形状の底部となる部分以外の部分に貫通孔を有する、打継面の処理方法。
【請求項７】
前記剥がし工程は、前記コンクリートの養生を開始する前に行う、請求項６記載の打継面の処理方法。
【発明の詳細な説明】
【技術分野】
【０００１】
本発明は、打継面の処理方法に関する。
【背景技術】
【０００２】
従来、規模の大きなコンクリート構造物を構築する場合に、コンクリートを打設する領域を複数の領域に分割し、順次打継面を介してコンクリートを打継ぐことでコンクリート構造物全体を構築することが行われている。
【０００３】
ここで、打継面の表面に凹凸を形成することで、既設コンクリートと新設コンクリートとの密着性を強固にすることが行われている。その例として、打継面に硬化遅延剤を塗布し、その後高圧水を吹付けることでレイタンスを除去するとともに凹凸表面を露出させることが挙げられる（例えば特許文献１参照）。ここで凹凸表面とは、コンクリートの粗骨材の大きさに従った数ｍｍ程度の大きさの凹凸を有する表面をいう。
【先行技術文献】
【特許文献】
【０００４】
【特許文献１】特開昭６１−９２２６１号公報
【発明の概要】
【発明が解決しようとする課題】
【０００５】
しかしながら、高圧水を用いてレイタンスを除去する方法では、アルカリ性の水が大量に発生し、これによって周辺の河川やダムが汚染されることが懸念される。従って、廃棄する水の発生量を少なく抑えることが望まれる。また、コンクリートの打設直後に生じるブリージング水についても同様に、効率的に除去することが望まれる。
【０００６】
そこで本発明は、水平打継面を介するコンクリートの打継において、ブリージング水やレイタンスを効率的に除去することができる、打継面の処理方法を提供することを目的とする。
【課題を解決するための手段】
【０００７】
本発明は、鉛直方向に打継されるコンクリート構造物の打継面の処理方法であって、打設したコンクリートの打継面を、コンクリート由来の粒子を吸着する吸水性シートで覆う覆い工程と、吸水性シートを打継面から剥がす剥がし工程と、を含み、覆い工程において、打継面は吸水性シートの吸水面に接触しており、覆い工程は、コンクリートからブリージング水が生じる時期に行う、打継面の処理方法を提供する。
【０００８】
この処理方法によれば、吸水性シートがブリージング水を吸水して保持するとともに、レイタンス又はレイタンスの基になる粒子を吸着することができるので、これをコンクリートからブリージング水が生じる時期に適用することで、ブリージング水とレイタンスを同時に除去することができる。ゆえに、水平打継面を介するコンクリートの打継において、廃棄する水の発生量を少なく抑えることができるとともに、ブリージング水やレイタンスを効率的に除去することができる。
【０００９】
この処理方法において、覆い工程は、打継面及び吸水性シートが凹凸形状となるように行うことが好ましい。この場合、打継面に凹凸ができることで、コンクリート構造物の剪断強度を大幅に向上させることができる。
【００１０】
吸水性シートは、凹凸形状をなす型板と、型板の片面に設けられ上記吸水面を有するシート本体と、を備えていてもよい。この場合、吸水性シートをコンクリートに押し付けることで、コンクリート表面に容易に凹凸形状を形成することができるので、作業性が高くなる。
【００１１】
このとき、型板は、覆い工程において凹凸形状の底部となる部分以外の部分に、貫通孔を有することが好ましい。吸水性シートがブリージング水を吸水しきれない場合には、溢れた水が貫通孔を通って型板表面を流れ、底部に溜まることになる。剥がし工程において、当該ブリージング水は吸水性シートとともに除去される。従って、この型板を有する吸水性シートは、ブリージング水が多い場合に特に好ましい。
【００１２】
剥がし工程は、コンクリートの養生を開始する前に行うことが好ましい。吸水性シートを剥がした後、養生期間には別の養生用シートを使用することもできる。また、剥がし工程を養生の開始前に行うことで、コンクリートが吸水性シートを噛み込んで硬化することが防止される。
【００１３】
また、本発明は、鉛直方向に打継されるコンクリート構造物の打継面の処理方法であって、打設したコンクリートの打継面を不透水性シートで覆う覆い工程と、不透水性シートを打継面から剥がす剥がし工程と、を含み、覆い工程は、打継面が不透水性シートに接触するように、且つ、打継面及び不透水性シートが凹凸形状となるように行い、覆い工程は、コンクリートからブリージング水が生じる時期に行い、不透水性シートは、覆い工程において凹凸形状の底部となる部分以外の部分に貫通孔を有する、打継面の処理方法を提供する。
【００１４】
この処理方法によれば、ブリージング水や、ブリージング水に含まれるレイタンス又はレイタンスの基になる粒子が、不透水性シートの貫通孔を通って不透水性シートの表面に溢れ出し、不透水性シートの凹凸形状の底部に溜まることになる。剥がし工程において、これらは不透水性シートとともに除去される。従って、不透水性シートをコンクリートからブリージング水が生じる時期に適用することで、ブリージング水とレイタンスを同時に除去することができる。ゆえに、水平打継面を介するコンクリートの打継において、廃棄する水の発生量を少なく抑えることができるとともに、ブリージング水やレイタンスを効率的に除去することができる。
【００１５】
この処理方法の場合も、剥がし工程は、コンクリートの養生を開始する前に行うことが好ましい。
【発明の効果】
【００１６】
水平打継面を介するコンクリートの打継において、ブリージング水やレイタンスを効率的に除去することができる、打継面の処理方法を提供することができる。
【図面の簡単な説明】
【００１７】
【図１】（Ａ）は第１の実施形態に係る吸水性シートの断面図である。（Ｂ）は第１の実施形態に係る処理方法を示す図である。
【図２】第２の実施形態に係る処理方法を示す図である。
【図３】第３の実施形態に係る吸水性シートの断面図である。
【図４】（Ａ）は第４の実施形態に係る吸水性シートの斜視図である。（Ｂ）は第４の実施形態に係る吸水性シートの断面図である。
【図５】第４の実施形態に係る吸水性シートの作用を示す図である。
【図６】（Ａ）は第５の実施形態に係る吸水性シートの斜視図である。（Ｂ）は第５の実施形態に係る吸水性シートの断面図である。
【図７】第５の実施形態に係る吸水性シートの作用を示す図である。
【発明を実施するための形態】
【００１８】
以下、本発明の好適な実施形態について、図面を参照しながら詳細に説明する。なお、各図において同一部分又は相当部分には同一符号を付し、重複する説明は省略する。
【００１９】
＜第１の実施形態＞
第１の実施形態として、吸水性シートを用いる打継面の処理方法について説明する。図１（Ａ）に示されている吸水性シート１Ａは、不織布からなるシートである。吸水性シート１Ａは、吸水性を有するとともに、コンクリート由来の粒子、特にレイタンスを吸着することができるものを用いる。吸水性シート１Ａは、負電荷を帯びたレイタンスを静電的に引きつけやすい正電荷を有する有機系不織布であることが好ましい。
【００２０】
図１（Ｂ）に示されているとおり、型枠２内にコンクリート３を打設した後、コンクリート３の表面を吸水性シート１Ａで覆う（覆い工程）。吸水性シート１Ａで覆う面は、コンクリートの打継が予定されている面である。この覆い工程は、コンクリート３からブリージング水が生じる時期に行う。
【００２１】
生じるブリージング水は吸水性シート１Ａに吸収されて保持される。過剰なブリージング水は吸水性シート１Ａの表面上に溜まる。また同時に、生じるレイタンスやレイタンスの基になる粒子は吸水性シート１Ａに吸着される。ここで「吸着」とは、粒子が吸水性シート１Ａに物理的に絡め取られることや、静電的に引きつけられること等を含む概念である。
【００２２】
ブリージング水が十分に出終わった頃合いをみて、吸水性シート１Ａを打継面から剥がす（剥がし工程）。その後、コンクリートの養生期間に入る。養生期間では、別の養生用シートを用いて保水性を高めながら養生することが好ましい。
【００２３】
ここで、ブリージングが終わる時期の判断としては、例えば、Ｎ式貫入試験で求められるＮ式貫入抵抗値と凝結試験で求められる凝結特性との相関を事前に調査しておき、コンクリート３のＮ式貫入抵抗値から凝結始発を確認することにより行うことができる。
【００２４】
この打継面の処理方法によれば、吸水性シート１Ａがブリージング水を吸水して保持するとともに、レイタンス又はレイタンスの基になる粒子を吸着することができるので、ブリージング水とレイタンスを同時に除去することができる。ゆえに、水平打継面を介するコンクリートの打継において、廃棄する水の発生量を少なく抑えることができるとともに、ブリージング水やレイタンスを効率的に除去することができる。
【００２５】
また、従来はレイタンスを除去するために硬化遅延剤を使用する場合があったが、本実施形態の処理方法によれば、レイタンスをブリージング水とともに除去できるので、硬化遅延剤を使用する必要は必ずしもない。
【００２６】
また、剥がし工程を養生の開始前に行うことで、コンクリート３が吸水性シート１Ａを噛み込んで硬化することが防止される。
【００２７】
＜第２の実施形態＞
第２の実施形態として、他の吸水性シートを用いる打継面の処理方法について説明する。第１の実施形態と異なる点は、図２に示されているとおり、吸水性シート１Ｂでコンクリート３を覆う際に、打継面及び吸水性シート１Ｂが断面視凹凸形状となるように覆うことである。
【００２８】
コンクリート３を打設した後、打継面となるコンクリート３の表面に、レーキやコテ等を使用して、互いに平行な溝を複数並走させて掘り、断面視ジグザグとなるように凹凸をつける。溝の深さは２〜３ｃｍ程度とする。このとき、溝が延びる方向は、完成後のコンクリート構造物に浸入する水の水みちに直交する方向とすることが好ましい。図２では、図示左右方向に水が浸入しうることを想定している。そして、その凹凸形状に倣うようにして吸水性シート１Ｂを密着させる。
【００２９】
別の方法として、先に吸水性シート１Ｂでコンクリート３の表面を覆い、その上からコテ等で押さえつけるようにして、吸水性シート１Ｂ及びコンクリート３の表面の凹凸形状を同時に形成してもよい。
【００３０】
この処理方法によれば、第１の実施形態と同様の効果が奏されるほか、打継面にセンチメートル単位の凹凸形状が形成されていることで、当該コンクリート３とこの上に打継がれるコンクリートとの密着性が向上し、完成後のコンクリート構造物の剪断強度を大幅に向上させることができる。また、溝が延びる方向を、コンクリート構造物に浸入する水の水みちに直交する方向とした場合は、止水性も向上する。
【００３１】
また、剥がし工程のみではレイタンスを十分に除去することができなかった場合においても、打継面に形成した凸部は構造上の弱部となっているので、当該部分に残っているレイタンスは小さなエネルギーで除去することができ、省力化に資する。
【００３２】
＜第３の実施形態＞
第３の実施形態として、他の吸水性シートを用いる打継面の処理方法について説明する。第２の実施形態と異なる点は、図３に示されているとおり、吸水性シート１Ｃが吸水性を有するシート本体１１ａ（１Ａ）と、凹凸形状をなす型板１１ｂとを備えている点である。
【００３３】
型板１１ｂは剛性を有する金属又は樹脂製の屏風状の板であり、断面視でジグザグを有する形状をなしている。型板１１ｂを裏打ちするように、シート本体１１ａが設けられている。
【００３４】
吸水面となるシート本体１１ａがコンクリート３に接触するように下向きにして、コンクリート３を覆う。このとき、型板１１ｂが剛性を有しているので、事前にコンクリート表面に溝を形成しておく必要はなく、吸水性シート１Ｃをコンクリート３に押し付けることで、コンクリート表面に容易に凹凸形状を形成することができる。従って、この処理方法によれば、作業性が高くなる。
【００３５】
＜第４の実施形態＞
第４の実施形態として、他の吸水性シートを用いる打継面の処理方法について説明する。第３の実施形態と異なる点は、図４（Ａ）及び（Ｂ）に示されているとおり、吸水性シート１Ｄにおける型板１１ｃが多数の貫通孔１１ｄを有している点である。
【００３６】
型板１１ｃは、吸水性シート１Ｄの型板１１ｃ側からみて凸部となる部分の頂部に、複数の貫通孔１１ｄを有している。図４（Ａ）に示されているとおり、各凸部においては、凸部が延びる方向に亘って複数の貫通孔１１ｄが等間隔をおいて設けられている。
【００３７】
この吸水性シート１Ｄを用いる場合も、打設したコンクリート３に対して吸水性シート１Ｄを押し付けることで、コンクリート表面に容易に凹凸形状を形成することができる。
【００３８】
貫通孔１１ｄは、シート本体１１ａがブリージング水を吸水しきれないほど多い場合に役立つ。すなわち、図５に示されているとおり、ブリージング水Ｗが吸水性シート１Ｄの吸水限度を超えて生じた場合、ブリージング水Ｗが貫通孔１１ｄから湧き上がって型板１１ｃの表面を流れ、型板１１ｃの凹凸の底部１１ｅに溜まることになる。剥がし工程において、ブリージング水Ｗは吸水性シート１Ｄとともに除去される。従って、この型板１１ｃを有する吸水性シート１Ｄは、ブリージング水が多い場合に特に好ましい。
【００３９】
なお、図４では型板１１ｃの凸部の頂部に貫通孔１１ｄが設けられている態様を示したが、貫通孔１１ｄは必ずしも頂部に設けられている必要はなく、底部１１ｅとなる部分以外の部分に設けられていればよい。
【００４０】
＜第５の実施形態＞
第５の実施形態として、不透水性シートを用いる打継面の処理方法について説明する。図６（Ａ）及び（Ｂ）に示されているとおり、不透水性シート１Ｅは、剛性を有する金属や樹脂からなる屏風状の板であって、断面視でジグザグを有する形状をなしている。ジグザグの頂部と底部との高低差は２〜３ｃｍ程度である。
【００４１】
不透水性シート１Ｅは、一方の面側からみて凸部となる部分の頂部に、複数の貫通孔１１ｄを有している。同じ側から見て底部となる部分には貫通孔は設けられていない。図６（Ａ）に示されているとおり、各凸部においては、凸部が延びる方向に亘って複数の貫通孔１１ｄが等間隔をおいて設けられている。
【００４２】
使用時には、打設したコンクリート３の表面に、貫通孔１１ｄが設けられた凸部の部分が高い位置となるようにして、コンクリート３を覆う（覆い工程）。このとき、不透水性シート１Ｅが剛性を有しているので、事前にコンクリート表面に溝を形成しておく必要はなく、不透水性シート１Ｅをコンクリート３に押し付けることで、コンクリート表面に容易に凹凸形状を形成することができる。不透水性シート１Ｅで覆う面は、コンクリートの打継が予定されている面である。この覆い工程は、コンクリートからブリージング水が生じる時期に行う。
【００４３】
生じるブリージング水Ｗやレイタンス又はレイタンスの基になる粒子は、図７に示されているとおり、貫通孔１１ｄを通って不透水性シート１Ｅの表面に溢れ、不透水性シート１Ｅの底部１１ｅに溜まる。
【００４４】
ブリージング水Ｗが十分に出終わった頃合いをみて、不透水性シート１Ｅを打継面から剥がす（剥がし工程）。その後、コンクリートの養生期間に入る。養生期間では、別の養生用シートを用いて保水性を高めながら養生することが好ましい。
【００４５】
この処理方法によれば、ブリージング水Ｗや、ブリージング水Ｗに含まれるレイタンス又はレイタンスの基になる粒子が、不透水性シート１Ｅの貫通孔１１ｄを通って不透水性シートの表面に溢れ出し、不透水性シート１Ｅの凹凸形状の底部１１ｅに溜まることになる。剥がし工程において、これらは不透水性シート１Ｅとともに除去される。従って、ブリージング水Ｗとレイタンスを同時に除去することができる。ゆえに、水平打継面を介するコンクリートの打継において、廃棄する水の発生量を少なく抑えることができるとともに、ブリージング水やレイタンスを効率的に除去することができる。
【００４６】
なお、上記実施形態では、不透水性シートが剛性を有する態様を示したが、剛性を有しない可撓性シートであってもよい。この場合、コンクリートの表面に、レーキやコテ等を使用して、互いに平行な溝を複数並走させて掘り、断面視ジグザグとなるように凹凸をつけた後に、不透水シートで覆ってもよい。また、別の方法として、可撓性を有する不透水性シートで先にコンクリートの表面を覆い、その上からコテ等で押さえつけるようにして凹凸形状を形成してもよい。
【００４７】
以上、本発明の好適な実施形態について説明したが、本発明は上記実施形態に何ら限定されるものではない。例えば、第５の実施形態では不透水性シートが剛性を有する単独の素材で構成されている例を示したが、不透水性シートとしては、上記不透水性シート１Ｅを可撓性のある素材で構成し、これを第４の実施形態で使用した型板１１ｃに貼り付けた構成としてもよい。
【００４８】
また、上記実施形態では養生期間に入る前に吸水性シート又は不透水性シートを剥がす態様を示したが、場合によっては養生期間においても吸水性シート又は不透水性シートを敷いたままにしておいてもよい。
【符号の説明】
【００４９】
１Ａ，１Ｂ，１Ｃ，１Ｄ…吸水性シート、１Ｅ…不透水性シート、２…コンクリート型枠、３…コンクリート、１１ａ…シート本体、１１ｂ，１１ｃ…型板、１１ｄ…貫通孔、１１ｅ…底部、Ｗ…ブリージング水。
【図１】
2018044297.tif 000003
【図２】
2018044297.tif 000004
【図３】
2018044297.tif 000005
【図４】
2018044297.tif 000006
【図５】
2018044297.tif 000007
【図６】
2018044297.tif 000008
【図７】
2018044297.tif 000009